(57)【要約】  本願明細書及び図面は，例えば無線通信などの通信容量を増加させるための，例えば個別物理制御チャネル（ＤＰＣＣＨ）などのアップリンク（ＵＬ）制御チャネルの動的開閉を行う新規な方法と，システムと，装置と，ソフトウェア製品と，を提示する。前記の開閉は，所定の基準を用い，ネットワークが提供する命令と，例えば強化個別チャネル（Ｅ−ＤＣＨ）上で送信される不連続データ信号内の送信ギャップと，によって規定される。
2009504053.tif 000002
【特許請求の範囲】
【請求項１】
所定の基準を用い，命令と，データチャネル上の不連続データ信号の送信ギャップ長とに応じてアップリンク制御チャネルの不連続制御信号をスケジュールするステップと，
ユーザ装置を用いて前記不連続制御信号を前記ネットワーク要素に送信するステップと，
を有する方法。
【請求項２】
前記命令は，
ａ）所定の規則と，
ｂ）前記ネットワーク要素が提供する命令と，
の少なくとも１つとする請求項１に記載の方法。
【請求項３】
前記命令は，
前記制御チャネル送信のギャップ期間すなわちギャップ長の最大限度と，
前記制御チャネル送信のギャップ期間すなわちギャップ長の最小限度と，
前記制御チャネル送信のタイミングと，
前記制御チャネル送信の期間と，
更にアップリンク制御チャネル送信を必要とするデータチャネル上の不連続データ信号内の最大送信ギャップと，
連続制御チャネル送信を必要とする前記不連続データ信号内の最小送信ギャップと，
アップリンク制御チャネルの前記不連続制御信号が，前記データチャネル上の前記不連続データ信号に依存するアルゴリズムと，
の少なくとも１つを含む請求項１に記載の方法。
【請求項４】
前記不連続制御チャネルはアップリンク個別物理制御チャネルとし，前記データチャネルはアップリンク強化個別チャネルとする請求項１に記載の方法。
【請求項５】
前記ネットワーク要素はノードＢとし，前記ネットワーク要素及び前記ユーザ装置は無線通信用に構成する請求項１に記載の方法。
【請求項６】
前記スケジュールするステップの際に，前記不連続制御信号の前記開閉は，ダウンリンクチャネルに関する情報を報告し，前記ユーザ装置によって前記ネットワーク要素へ送信されるチャネル品質指示子を含む更なる報告信号のタイミングに更に依存する請求項１に記載の方法。
【請求項７】
前記スケジュールするステップの際に，前記不連続制御信号の前記開閉期間を，前記不連続データ信号の予め選択した送信不活性期間後に予め選択した値によって変更し，前記不連続データ信号を再度送信した後に前記開閉期間をその初期の所定値に変更する請求項１に記載の方法。
【請求項８】
前記スケジュールするステップの際に，前記不連続制御信号の前記開閉期間を，前記不連続データ信号の予め選択した各送信不活性期間後に予め選択した値によって増加させ，前記開閉期間は予め選択した最大値を超えない請求項１に記載の方法。
【請求項９】
前記スケジュールするステップの際に，前記不連続制御信号の前記開閉期間を，前記不連続データ信号の予め選択した送信不活性期間後に予め選択した最大値に増加させる請求項１に記載の方法。
【請求項１０】
前記スケジュールするステップの際に，前記不連続制御信号の期間を更なる所定の基準によって調整する請求項１に記載の方法。
【請求項１１】
前記不連続制御信号の前記期間を，前記不連続データ信号の予め選択した各送信不活性期間後に予め選択した値によって増加させ，前記期間は予め選択した最大値を超えない請求項１に記載の方法。
【請求項１２】
前記スケジュールするステップの際に，前記不連続制御信号の前記個別データ信号に対する開閉タイミングは所定のアルゴリズムによって決定され，前記不連続データ信号に依存する請求項１に記載の方法。
【請求項１３】
前記不連続制御信号の開閉期間は，前記不連続制御信号のランダム送信パターンにおける平均又は最大の許容ギャップ長とする請求項１に記載の方法。
【請求項１４】
前記スケジュールするステップは，前記ネットワーク要素又は前記ユーザ装置が行う請求項１に記載の方法。
【請求項１５】
計算機プログラム製品であって，計算機プログラムコードを組み込んだ計算機可読記憶構造を備え，前記計算機プログラムコードは計算機プロセッサが実行するものであって請求項１に記載の方法を実行する命令を含み，前記ユーザ装置又は前記ネットワーク要素の任意のコンポーネント又はコンポーネントの組合せによって実行されることが指示される計算機プログラム製品。
【請求項１６】
不連続制御信号を発生させるアップリンクスケジュール及び信号発生モジュールと，
前記不連続制御信号を前記ネットワーク要素に送信する受信送信処理モジュールと，
を備えたユーザ装置であって，
前記不連続制御信号のスケジュールは，所定の基準を用い，命令と，データチャネル上の不連続データ信号内の送信ギャップ長とに依存して行われるユーザ装置。
【請求項１７】
前記アップリンクスケジュール及び信号発生モジュールは，前記スケジュールを行うように構成する請求項１６に記載のユーザ装置。
【請求項１８】
前記スケジュールは，前記命令を用いて前記ネットワーク要素が行う請求項１６に記載のユーザ装置。
【請求項１９】
前記命令は，
ａ）所定の規則と，
ｂ）前記ネットワーク要素が提供する命令と，
の少なくとも１つとする請求項１６に記載のユーザ装置。
【請求項２０】
前記命令は前記ネットワーク要素が提供し，
前記制御チャネル送信のギャップ期間すなわちギャップ長の最大限度と，
前記制御チャネル送信のギャップ期間すなわちギャップ長の最小限度と，
前記制御チャネル送信のタイミングと，
前記制御チャネル送信の期間と，
更にアップリンク制御チャネル送信を必要とするデータチャネル上の不連続データ信号内の最大送信ギャップと，
連続制御チャネル送信を必要とする前記不連続データ信号内の最小送信ギャップと，
アップリンク制御チャネルの前記不連続制御信号が，前記データチャネル上の前記不連続データ信号に依存するアルゴリズムと，
の少なくとも１つを含む請求項１６に記載のユーザ装置。
【請求項２１】
前記不連続制御チャネルはアップリンク個別物理制御チャネルとし，前記データチャネルはアップリンク強化個別チャネルとする請求項１６に記載のユーザ装置。
【請求項２２】
前記スケジュールの際に，前記不連続制御信号の前記開閉は，ダウンリンクチャネルに関する情報を報告し，前記ユーザ装置によって前記ネットワーク要素へ送信されるチャネル品質指示子を含む更なる報告信号のタイミングに更に依存する請求項１６に記載のユーザ装置。
【請求項２３】
前記スケジュールの際に，前記不連続制御信号の前記開閉期間を，前記不連続データ信号の予め選択した送信不活性期間後に予め選択した値によって変更し，前記不連続データ信号を再度送信した後に前記開閉期間をその初期の所定値に変更する請求項１６に記載のユーザ装置。
【請求項２４】
前記スケジュールの際に，前記不連続制御信号の前記開閉期間を，前記不連続データ信号の予め選択した各送信不活性期間後に予め選択した値によって増加させ，前記開閉期間は予め選択した最大値を超えない請求項１６に記載のユーザ装置。
【請求項２５】
前記スケジュールの際に，前記不連続制御信号の期間を更なる所定の基準によって調整する請求項１６に記載のユーザ装置。
【請求項２６】
前記スケジュールの際に，前記不連続制御信号の前記個別データ信号に対する開閉タイミングは所定のアルゴリズムによって決定され，前記不連続データ信号に依存する請求項１６に記載のユーザ装置。
【請求項２７】
前記不連続制御信号の開閉期間は，前記不連続制御信号のランダム送信パターンにおける平均又は最大の許容ギャップ長とする請求項１６に記載のユーザ装置。
【請求項２８】
前記ユーザ装置は無線通信用に構成する請求項１６に記載のユーザ装置。
【請求項２９】
集積回路が前記アップリンクスケジュール及び信号発生モジュール並びに前記受信送信処理モジュールを含む請求項１６に記載のユーザ装置。
【請求項３０】
不連続制御信号を発生させる信号発生手段と，
前記不連続制御信号を前記ネットワーク要素に送信する受信及び送信手段と，
を備えたユーザ装置であって，
前記不連続制御信号のスケジュールは，所定の基準を用い，命令と，データチャネル上の不連続データ信号内の送信ギャップ長とに依存して行われるユーザ装置。
【請求項３１】
前記信号発生手段は，前記スケジュールを行うように構成する請求項３０に記載のユーザ装置。
【請求項３２】
不連続制御信号をスケジュールする命令をユーザ装置へ送信する送信ブロックと，
不連続データ信号及び前記不連続制御信号を受信する受信ブロックと，
を備えるネットワーク要素であって，
前記不連続制御信号のスケジュールは，所定の基準を用い，前記命令と，データチャネル上の前記不連続データ信号内の送信ギャップ長とに依存して行われるネットワーク要素。
【請求項３３】
前記命令は，
前記制御チャネル送信のギャップ期間すなわちギャップ長の最大限度と，
前記制御チャネル送信のギャップ期間すなわちギャップ長の最小限度と，
前記制御チャネル送信のタイミングと，
前記制御チャネル送信の期間と，
更にアップリンク制御チャネル送信を必要とするデータチャネル上の不連続データ信号内の最大送信ギャップと，
連続制御チャネル送信を必要とする前記不連続データ信号内の最小送信ギャップと，
の少なくとも１つを含む請求項３２に記載のネットワーク要素。
【請求項３４】
アップリンク制御チャネルの不連続制御信号を送信するユーザ装置と，
前記不連続制御信号を受信するネットワーク要素と，
を備える通信システムであって，
前記不連続制御信号のスケジュールは，所定の基準を用い，命令と，データチャネル上の不連続データ信号内の送信ギャップ長とに依存して行われる通信システム。
【請求項３５】
前記命令は，
ａ）所定の規則と，
ｂ）前記ネットワーク要素が提供する命令と，
の少なくとも１つとする請求項３４に記載のシステム。
【請求項３６】
前記命令は前記ネットワーク要素が提供し，
前記制御チャネル送信のギャップ期間すなわちギャップ長の最大限度と，
前記制御チャネル送信のギャップ期間すなわちギャップ長の最小限度と，
前記制御チャネル送信のタイミングと，
前記制御チャネル送信の期間と，
更にアップリンク制御チャネル送信を必要とするデータチャネル上の不連続データ信号内の最大送信ギャップと，
連続制御チャネル送信を必要とする前記不連続データ信号内の最小送信ギャップと，
アップリンク制御チャネルの前記不連続制御信号が，前記データチャネル上の前記不連続データ信号に依存するアルゴリズムと，
の少なくとも１つを含む請求項３４に記載のシステム。
【請求項３７】
前記スケジュールは，前記ネットワーク要素又は前記ユーザ装置が行う請求項３４に記載のシステム。
【発明の詳細な説明】
【技術分野】
【０００１】
本発明は，概略例えば無線通信などの通信に関し，より特定すれば個別物理制御チャネル（ＤＰＣＣＨ）のようなアップリンク（ＵＬ）制御チャネルの動的開閉に関する。
【背景技術】
【０００２】
ＵＬ（ユーザ装置からネットワークへの方向）において，個別チャネル（ＤＣＨ）がなく，対応する個別物理データチャネル（ＤＰＤＣＨ）も設定されていないときは，すべてのデータは強化個別物理データチャネル（Ｅ−ＤＰＤＣＨ）に対応付けられた強化個別チャネル（Ｅ−ＤＣＨ）上で送信される。Ｅ−ＤＣＨに関連する制御信号通知は，強化個別物理制御チャネル（Ｅ−ＤＰＣＣＨ）上で送信される。Ｅ−ＤＰＤＣＨ及びＥ−ＤＰＣＣＨは不連続であってもよく，送信するデータがあるときだけ送信され，その送信はネットワークによって許可される。ＵＬにおいてはＥ−ＤＰＤＣＨ及びＥ−ＤＰＣＣＨに加えて，連続のＤＰＣＣＨと，恐らくはＨＳ−ＤＳＣＨ（高速ダウンリンク（ＤＬ）共有チャネル）用の連続又は不連続の個別物理制御チャネル（例えば高速ＵＬ個別物理制御チャネル，ＨＳ−ＤＰＣＣＨ）とが送信される。
【０００３】
パケットサービスセッションは，ＥＴＳＩ技術報告，TR 101 112， "Universal Mobile Telecommunications System (UMTS); Selection procedures for the choice of radio transmission technologies of the UMTS (UMTS 30.03 version 3.2.0)"，に規定されたアプリケーションに依存して，１又は複数のパケット呼を含む。パケットサービスセッションはＮＲＴ（非実時間）無線接続ベアラ期間として考えることができ，またパケット呼はパケットデータ送信の活性期間として考えることができる。パケット呼の期間にいくつかのパケットを発生してもよく，これはパケット呼がバースト状のパケットシーケンスをなしていることを意味する。このバースト性は，パケット送信の特性的特徴である。
【０００４】
ネットワークに対するセッション設定の到着は，ポワソン過程としてモデル化することができる。読み取り時間は，パケット呼の最後のパケットがユーザ及びネットワークによって完全に受信されたとき始まり，ユーザが次のパケット呼を要求したとき終了する。読み取り時間の期間，ＵＬにおけるＥ−ＤＣＨ送信は不連続であり，ほとんどの読み取り時間の期間，Ｅ−ＤＣＨ送信はない。（とりわけ）パケット到着間隔に依存して，パケット呼の期間にＥ−ＤＣＨ送信ギャップがあってもよいが，Ｅ−ＤＣＨ送信はまたパケット呼の期間，連続であってもよい。このようにパケット呼の期間にもＥ−ＤＣＨ上にいくらかの不活性期間があってもよい。
【０００５】
ユーザ装置（ＵＥ）からネットワークへのＵＬ方向のＨＳ−ＤＰＣＣＨ上で信号を送信することもできる。ＨＳ−ＤＰＣＣＨ信号は通常，チャネル品質指示子（ＣＱＩ）報告情報を有する２スロットと，ＨＳＤＰＡ用のＡＣＫ／ＮＡＣＫ情報を有する１スロットと，を搬送する。ＣＱＩ送信は通常周期的であり，普通はＨＳ−ＤＳＣＨ送信とは独立である。ＣＱＩ報告期間は無線ネットワーク制御装置（ＲＮＣ）によって制御され，０，２，４，８，１０，２０，４０，８０，及び１６０ｍｓの値を取ることができる。ＡＣＫ／ＮＡＣＫはＨＳ−ＤＳＣＨ上のパケット送信に対する応答としてだけ送信され，（Ｅ−ＤＣＨに類似して）送信するデータがあるときだけ送信され，読み取り時間と，パケット呼期間のパケット到着時間と，に依存する。
【０００６】
Ｅ−ＤＣＨ送信には許可が必要である。すなわち，不定期ＭＡＣ−ｄ（ＭＡＣは媒体接続制御の略）フローには不定期許可，また定期送信にはサービス提供許可（及び許可された活性なハイブリッド自動再送要求（ＨＡＲＱ）過程）が必要である。定期ＭＡＣ−ｄフローの場合，ノードＢがいつＵＥの送信を許可するかを制御し，したがってノードＢはいつＵＥがデータを送信するかを知っている。不定期ＭＡＣ−ｄフローについてネットワークは，特定のＭＡＣ−ｄフローのＭＡＣ−ｅ ＰＤＵ（プロトコルデータユニット）に含めることができる最大ビット数を許可することができる。２ｍｓのＥ−ＤＣＨ ＴＴＩ（送信時間間隔）の場合，各不定期許可はＲＲＣ（無線リソース制御）が示す特定のＨＡＲＱ過程集合に適用でき，ＲＲＣはまた，定期許可が適用されるＨＡＲＱ過程集合も制限できる。（ネットワークが規定する）最小集合を除いて，意図する送信信頼性に必要な電力レベルで意図する数のビットを送信するために，ＵＥには十分な送信電力がなければならない。最小集合は，意図する信頼性を維持するために十分な送信電力がないとき，ＴＴＩ中にＥ−ＤＣＨ上で送信できるビット数を規定するものである。（Ｅ−ＤＣＨの最小集合は，コネクションにＤＣＨが設定されていないときだけ存在できる。）
【０００７】
ＵＬ ＤＰＣＣＨは，第１層（物理層）において発生される制御情報を搬送する。第一層制御情報は，例えばコヒーレント検波用のチャネル推定を支援する既知のパイロットビットと，ＤＬ ＤＰＣＨ（個別物理チャネル）用の送信電力制御（ＴＰＣ）と，オプションのフィードバック情報（ＦＢＩ）と，オプションの送信形式結合指示子（ＴＦＣＩ）と，を含む。通常ＵＬ ＤＰＣＣＨは，（たとえある期間内に送信するデータがないときも）連続的に送信され，各無線リンクに１つのＵＬ ＤＰＣＣＨがある。通常連続的に送信される回線交換サービスに関しては，連続送信は問題ではなく，したがって制御チャネルも連続的に存在する必要がある。しかしユーザデータが送信されない長い期間があるかもしれないバースト的なパケットサービスについては，連続ＤＰＣＣＨ送信は重大なオーバヘッドを生じる。
【０００８】
制御オーバヘッドを減少させることによって，ＵＬ容量を増加させることができる。制御オーバヘッドを減少させる１つの可能性は，ＵＬ ＤＰＣＣＨ開閉（又は不連続送信），すなわちＤＰＣＣＨ上で常には信号を送信しないことである。
【０００９】
開閉を利用する理由は次のとおりである（ただしそれに限定されない）。
・ＵＥ電力節減及び長期バッテリ寿命を提供
・干渉の削減
・より高い能力の提供
【発明の開示】
【課題を解決するための手段】
【００１０】
本発明の第１態様によれば，所定の基準を用い，命令と，データチャネル上の不連続データ信号の送信ギャップ長とに応じてＵＬ制御チャネルの不連続制御信号をスケジュールするステップと，ユーザ装置を用いて上記不連続制御信号を上記ネットワーク要素に送信するステップと，を有する方法が提供される。
【００１１】
本発明の第１態様に更によれば上記命令は，ａ）所定の規則と，ｂ）上記ネットワーク要素が提供する命令と，の少なくとも１つである。
【００１２】
本発明の第１態様に更によれば上記命令は，上記制御チャネル送信のギャップ期間すなわちギャップ長の最大限度と，上記制御チャネル送信のギャップ期間すなわちギャップ長の最小限度と，上記制御チャネル送信のタイミングと，上記制御チャネル送信の期間と，更にＵＬ制御チャネル送信を必要とするデータチャネル上の不連続データ信号内の最大送信ギャップと，連続制御チャネル送信を必要とする上記不連続データ信号内の最小送信ギャップと，ＵＬ制御チャネルの上記不連続制御信号が，上記データチャネル上の上記不連続データ信号に依存するアルゴリズムと，の少なくとも１つを含む。
【００１３】
本発明の第１態様にまた更によれば，上記不連続制御チャネルはＵＬ個別物理制御チャネルであり，上記データチャネルはＵＬ強化個別チャネルである。
【００１４】
本発明の第１態様に更によれば，上記ネットワーク要素はノードＢであり，上記ネットワーク要素及び上記ユーザ装置は無線通信用に構成される。
【００１５】
本発明の第１態様にまた更によれば，上記スケジュールするステップの際に，上記不連続制御信号の上記開閉は，ＤＬチャネルに関する情報を報告し，上記ユーザ装置によって上記ネットワーク要素へ送信されるチャネル品質指示子を含む更なる報告信号のタイミングに更に依存する。
【００１６】
本発明の第１態様にまた更によれば，上記スケジュールするステップの際に，上記不連続制御信号の上記開閉期間を，上記不連続データ信号の予め選択した送信不活性期間後に予め選択した値によって変更し，上記不連続データ信号を再度送信した後に上記開閉期間をその初期の所定値に変更する。
【００１７】
本発明の第１態様にまた更によれば，上記スケジュールするステップの際に，上記不連続制御信号の上記開閉期間を，上記不連続データ信号の予め選択した各送信不活性期間後に予め選択した値によって増加させ，上記開閉期間は予め選択した最大値を超えない。
【００１８】
本発明の第１態様にまた更によれば，上記スケジュールするステップの際に，上記不連続制御信号の上記開閉期間を，上記不連続データ信号の予め選択した送信不活性期間後に予め選択した最大値に増加させる。
【００１９】
本発明の第１態様にまた更によれば，上記スケジュールするステップの際に，上記不連続制御信号の期間を更なる所定の基準によって調整する。
【００２０】
本発明の第１態様にまた更によれば，上記不連続制御信号の上記期間を，上記不連続データ信号の予め選択した各送信不活性期間後に予め選択した値によって増加させ，上記期間は予め選択した最大値を超えない。
【００２１】
本発明の第１態様にまた更によれば，上記スケジュールするステップの際に，上記不連続制御信号の上記個別データ信号に対する開閉タイミングは所定のアルゴリズムによって決定され，上記不連続データ信号に依存する。
【００２２】
本発明の第１態様にまた更によれば，上記不連続制御信号の開閉期間は，上記不連続制御信号のランダム送信パターンにおける平均又は最大の許容ギャップ長である。
【００２３】
本発明の第１態様にまた更によれば，上記スケジュールするステップは，上記ネットワーク要素又は上記ユーザ装置が行う。
【００２４】
本発明の第２態様によれば，計算機プログラム製品は計算機プログラムコードを組み込んだ計算機可読記憶構造を備え，上記計算機プログラムコードは計算機プロセッサが実行するものであって本発明の第一態様の方法を実行する命令を含み，上記ユーザ装置又は上記ネットワーク要素の任意のコンポーネント又はコンポーネントの組合せによって実行されることが指示される。
【００２５】
本発明の第３態様によれば，ユーザ装置は，不連続制御信号を発生させるＵＬスケジュール及び信号発生モジュールと，上記不連続制御信号を上記ネットワーク要素に送信する受信送信処理モジュールと，を備え，上記不連続制御信号のスケジュールは，所定の基準を用い，命令と，データチャネル上の不連続データ信号内の送信ギャップ長とに依存して行われる。
【００２６】
本発明の第３態様に更によれば，上記ＵＬスケジュール及び信号発生モジュールは，上記スケジュールを行うように構成する。
【００２７】
本発明の第３態様にまた更によれば，上記スケジュールは，上記命令を用いて上記ネットワーク要素が行う。
【００２８】
本発明の第３態様に更によれば，上記命令は，ａ）所定の規則と，ｂ）上記ネットワーク要素が提供する命令と，の少なくとも１つである。
【００２９】
本発明の第３態様にまた更によれば，上記命令は上記ネットワーク要素が提供し，上記制御チャネル送信のギャップ期間すなわちギャップ長の最大限度と，上記制御チャネル送信のギャップ期間すなわちギャップ長の最小限度と，上記制御チャネル送信のタイミングと，上記制御チャネル送信の期間と，更にＵＬ制御チャネル送信を必要とするデータチャネル上の不連続データ信号内の最大送信ギャップと，連続制御チャネル送信を必要とする上記不連続データ信号内の最小送信ギャップと，ＵＬ制御チャネルの上記不連続制御信号が，上記データチャネル上の上記不連続データ信号に依存するアルゴリズムと，の少なくとも１つを含む。
【００３０】
本発明の第３態様にまた更によれば，上記不連続制御チャネルはＵＬ個別物理制御チャネルであり，上記データチャネルはＵＬ強化個別チャネルである。
【００３１】
本発明の第３態様にまた更によれば，上記スケジュールの際に，上記不連続制御信号の上記開閉は，ＤＬチャネルに関する情報を報告し，上記ユーザ装置によって上記ネットワーク要素へ送信されるチャネル品質指示子を含む更なる報告信号のタイミングに更に依存する。
【００３２】
本発明の第３態様にまた更によれば，上記スケジュールの際に，上記不連続制御信号の上記開閉期間を，上記不連続データ信号の予め選択した送信不活性期間後に予め選択した値によって変更し，上記不連続データ信号を再度送信した後に上記開閉期間をその初期の所定値に変更する。
【００３３】
本発明の第３態様にまた更によれば，上記スケジュールの際に，上記不連続制御信号の上記開閉期間を，上記不連続データ信号の予め選択した各送信不活性期間後に予め選択した値によって増加させ，上記開閉期間は予め選択した最大値を超えない。
【００３４】
本発明の第３態様にまた更によれば，上記スケジュールの際に，上記不連続制御信号の期間を更なる所定の基準によって調整する。
【００３５】
本発明の第３態様にまた更によれば，上記スケジュールの際に，上記不連続制御信号の上記個別データ信号に対する開閉タイミングは所定のアルゴリズムによって決定され，上記不連続データ信号に依存する。
【００３６】
本発明の第３態様にまた更によれば，上記不連続制御信号の開閉期間は，上記不連続制御信号のランダム送信パターンにおける平均又は最大の許容ギャップ長である。
【００３７】
本発明の第３態様に更によれば，上記ユーザ装置は無線通信用に構成される。
【００３８】
本発明の第３態様にまた更によれば，集積回路が上記ＵＬスケジュール及び信号発生モジュール並びに上記受信送信処理モジュールを含む。
【００３９】
本発明の第４態様によれば，ユーザ装置は不連続制御信号を発生させる信号発生手段と，上記不連続制御信号を上記ネットワーク要素に送信する受信及び送信手段と，を備え，上記不連続制御信号のスケジュールは，所定の基準を用い，命令と，データチャネル上の不連続データ信号内の送信ギャップ長とに依存して行われる。
【００４０】
本発明の第４態様に更によれば，上記信号発生手段は，上記スケジュールを行うように構成される。
【００４１】
本発明の第５態様によれば，ネットワーク要素は，不連続制御信号をスケジュールする命令をユーザ装置へ送信する送信ブロックと，不連続データ信号及び上記不連続制御信号を受信する受信ブロックと，を備え，上記不連続制御信号のスケジュールは，所定の基準を用い，上記命令と，データチャネル上の上記不連続データ信号内の送信ギャップ長とに依存して行われる。
【００４２】
本発明の第５態様に更によれば，上記命令は，上記制御チャネル送信のギャップ期間すなわちギャップ長の最大限度と，上記制御チャネル送信のギャップ期間すなわちギャップ長の最小限度と，上記制御チャネル送信のタイミングと，上記制御チャネル送信の期間と，更にＵＬ制御チャネル送信を必要とするデータチャネル上の不連続データ信号内の最大送信ギャップと，連続制御チャネル送信を必要とする上記不連続データ信号内の最小送信ギャップと，の少なくとも１つを含む。
【００４３】
本発明の第６態様によれば，通信システムは，ＵＬ制御チャネルの不連続制御信号を送信するユーザ装置と，上記不連続制御信号を受信するネットワーク要素と，を備え，上記不連続制御信号のスケジュールは，所定の基準を用い，命令と，データチャネル上の不連続データ信号内の送信ギャップ長とに依存して行われる。
【００４４】
本発明の第６態様に更によれば，上記命令は，ａ）所定の規則と，ｂ）上記ネットワーク要素が提供する命令と，の少なくとも１つである。
【００４５】
本発明の第６態様に更によれば，上記命令は上記ネットワーク要素が提供し，上記制御チャネル送信のギャップ期間すなわちギャップ長の最大限度と，上記制御チャネル送信のギャップ期間すなわちギャップ長の最小限度と，上記制御チャネル送信のタイミングと，
上記制御チャネル送信の期間と，更にＵＬ制御チャネル送信を必要とするデータチャネル上の不連続データ信号内の最大送信ギャップと，連続制御チャネル送信を必要とする上記不連続データ信号内の最小送信ギャップと，ＵＬ制御チャネルの上記不連続制御信号が，上記データチャネル上の上記不連続データ信号に依存するアルゴリズムと，の少なくとも１つを含む。
【００４６】
本発明の第６態様に更によれば，上記スケジュールは，上記ネットワーク要素又は上記ユーザ装置が行う。
【発明を実施するための最良の形態】
【００４７】
例えば無線通信などの通信容量を増加させるための，例えば個別物理制御チャネル（ＤＰＣＣＨ）などのＵＬ制御チャネルの動的開閉を行う新規な方法と，システムと，装置と，ソフトウェア製品と，を提示する。上記の開閉は，所定の基準を用い，（例えばネットワークが提供する）命令と，例えば強化個別チャネル（Ｅ−ＤＣＨ）上で送信される不連続データ信号内の送信ギャップと，によって規定される。換言すれば，（例えばＤＰＣＣＨなどの）ＵＬ制御チャネルの（例えばＤＰＣＣＨ信号など）不連続制御信号のスケジュールは，命令と，不連続データ信号内の送信ギャップ長と，に依存し，所定の基準を用いて行うことができる。本発明の実施例によれば命令は，（例えば仕様による）所定の規則であってもよいし，及び／又はネットワーク要素が提供してもよい。命令は次を含む（しかしそれに限定されない）。
【００４８】
ａ）上記制御チャネル送信の最小及び／又は最大開閉期間，若しくは最小及び／又は最大ギャップ長。例えばＵＬ ＤＰＣＣＨ送信の最小及び／又は最大開閉速度（すなわち開閉期間の境界を与える）。
【００４９】
ｂ）上記制御チャネル送信のタイミング。例えばＵＬ ＤＰＣＣＨ送信のタイミング（例えば上記所定の基準を含むか，又は部分的に含む）。
【００５０】
ｃ）上記制御チャネル送信の期間。例えばＵＬ ＤＰＣＣＨ送信の期間（開閉が適用される前に，ＵＬ ＤＰＣＣＨ送信が連続又は不連続であるとき）。
【００５１】
ｄ）ＵＬ制御チャネル送信を必要とするデータチャネル上の不連続データ信号内の最大送信ギャップ。例えば不連続データ信号内の最大送信ギャップが規定する十分に長いデータチャネル不活性期間後に，制御チャネル送信を停止することができる。
【００５２】
ｅ）連続制御チャネル送信を必要とする不連続データ信号内の最小送信ギャップ。例えばデータ信号内の最小送信ギャップに対応する不連続データ信号が非常に頻繁になったとき，データ信号速度に対応するために制御チャネル送信は連続であることが望ましい。
【００５３】
ｆ）ＵＬ不連続制御信号の開閉期間又は送信ギャップ長の，ＵＬ不連続データ信号の送信ギャップ長に対する依存を規定（例えば所定の基準を規定又は部分的に規定）するアルゴリズムの提供。例えばＵＬ不連続データ信号が所定の期間（例えば１０ｍｓ）不活性であった後に，ＵＬ制御チャネルの開閉期間をこのアルゴリズムによって増加（例えば２倍に）させることができるか，又は不連続データ信号上の送信ギャップ長と，ＵＬ制御チャネルの開閉期間との所定の対応付けをこのアルゴリズムによって用いることができる，など。
【００５４】
開閉速度は，注目チャネル上の２つの連続する送信の開始時刻間の時間である開閉期間の逆数として定義される。これら２つの連続する送信間の送信ギャップ長は，開閉期間マイナス送信期間に等しいものとして定義される。図１を参照されたい。
【００５５】
図１は，ギャップ長と，開閉期間と，開閉速度と，の定義を例として示す図であって，この例においてＤＰＣＣＨ送信期間は，各開閉期間において２ｍｓである。始めに開閉期間は１０ｍｓである。すなわち開閉速度は１／１０ｍｓであり，２期間後に開閉期間は２倍，すなわち２０ｍｓである。開閉期間が１０ｍｓでＤＰＣＣＨ送信期間が２ｍｓのとき，ギャップ長は８ｍｓである。開閉期間が２０ｍｓでＤＰＣＣＨ送信期間が２ｍｓのとき，ギャップ長は１８ｍｓである。
【００５６】
以降詳細に説明する所定の規則によれば，Ｅ−ＤＣＨもＤＰＣＣＨも送信されないとき，タイムスロット内のＵＬ ＤＰＣＣＨ送信は直近のＥ−ＤＣＨ送信活性度によって，ネットワーク要素（例えばＲＮＣ）が提供する命令の限度内で規定することができる。
【００５７】
例えばＲＮＣは，保証されたＤＰＣＣＨ送信（すなわちＵＥに要求するＤＰＣＣＨ送信）の最大送信ギャップ長に関して，（例えばサービス要求条件及び期待する送信速度によって）タイミング及び限度だけを規定することができる。ノードＢ及びＲＮＣは通常，現行規定のとおりＥ−ＤＣＨ送信を制御するが，ＲＮＣが規定する限度内で所定の規則によってＥ−ＤＣＨ送信中のＤＰＣＣＨ送信ギャップ長（又は例えば最大ＤＰＣＣＨ送信ギャップ長）を制御する（データトラヒックの不活性期間が長ければ長いほど，ＤＰＣＣＨ送信ギャップ（又は例えば最大ＤＰＣＣＨ送信ギャップ）を長くする。すなわち，データトラヒック活性度が低いときは弱い制御，データトラヒック活性度が高いときは強い制御。）
【００５８】
開閉の規定に関しては，多くのうち少なくとも２つの可能性がある。すなわちネットワークが厳密にこれを規定して（すなわち厳密なパターン，開始時刻，期間，等を提供する），ＵＥは単純にこれに従うか，又はＵＥにある自由度を与えるかである。後者の場合ネットワークはＵＥに関するいくつかの限度を与えるだけであり，これらの限度内でかつ所定の規則によって，ＵＥはいつＤＰＣＣＨを送信するかを選択することができる。
【００５９】
後者の場合，ＵＥはより多くの自由度を与えられ，例えばほかにＵＬ送信（Ｅ−ＤＣＨ又はＨＳ−ＤＰＣＣＨ）がないときＵＥはＤＰＣＣＨの送信を停止し，カウンタを起動する方式が含まれる。カウンタが，（ネットワークが通知した）最大値に達したとき，ＵＥは所定の期間だけＤＰＣＣＨ信号を送信して，カウンタを再起動する。カウンタが最大許容値に達する前にＥ−ＤＣＨ送信又はＨＳ−ＤＰＣＣＨ送信があったときは，ＤＰＣＣＨは当然にこれらほかのチャネルと同時に送信され，カウンタが再起動される。本発明の実施例によれば，カウンタの最大許容値はＥ−ＤＣＨ活性度に依存する（活性度が低いときは大きな最大値）。このようにこの場合は，ＤＰＣＣＨの周期性及び開始時間双方がＥ−ＤＣＨ活性度に依存する。各場合の組合せは，例えばＵＥがＥ−ＤＣＨ活性度に応じて自律的にＤＰＣＣＨ信号の開閉期間を調整する方式を含む。しかし開閉パターンの開始時刻は，ネットワークが厳密に規定する。このようにこの場合は，ＤＰＣＣＨギャップの周期性だけがＥ−ＤＣＨ活性度に依存し，ＤＰＣＣＨ開閉パターンの開始時刻は，Ｅ−ＤＣＨ又はＨＳ−ＤＰＣＣＨの送信活性度と独立である。
【００６０】
特にソフトハンドオーバの場合，ネットワーク（例えばＲＮＣ）がＵＥ（及びノードＢ）に送信パターンを厳密に通知する第１代替案を利用することもできる。したがっていつＵＥが（少なくとも）ＤＰＣＣＨを送信するかについて，ノードＢには不確定性はない（サービスを提供していないセルは，いくつかのＨＳ−ＤＰＣＣＨ送信及びＥ−ＤＣＨ送信，したがっていくつかのＤＰＣＣＨ送信も失うかもしれない。）
【００６１】
また本発明の更なる実施例によれば，ＲＮＣは開閉の可能性を活性化又は不活性化し，上記のタイミングと，必要な（保証された）ＤＰＣＣＨ送信の（最小）速度の限度と，を規定することができる。更に送信活性度によって動的振る舞いが可能である（データトラヒック活性度が低いときは弱い制御，データトラヒック活性度が高いときは強い制御）。例えば，ＤＰＣＣＨは，Ｅ−ＤＣＨ又はＨＳ−ＤＰＣＣＨが送信されるときはいつでも送信され，（Ｅ−ＤＣＨ又はＨＳ−ＤＰＣＣＨが送信されないときは）追加の必要なＤＰＣＣＨ送信はＥ−ＤＣＨ送信活性度又は不活性度（Ｅ−ＤＣＨ送信ギャップ長）に依存する。換言すればＤＰＣＣＨ送信のギャップ長は，Ｅ−ＤＣＨ送信の活性度に依存してもよい。すなわち不活性なときはＤＰＣＣＨ送信ギャップが長く，頻繁に送信されるときはＤＰＣＣＨ送信ギャップが短い。このように活性なＥ−ＤＣＨ送信の際，電力制御と，チャネル推定と，同期と，が頻繁なＤＰＣＣＨ送信によって支援される。また動的ギャップ長は，例えばＥＭＣ（電磁気環境適合性）問題によってランダム化が必要なとき，ランダム化されたＤＰＣＣＨ送信パターン中の平均許容ギャップ長又は最大許容ギャップ長のいずれかである。
【００６２】
ＤＰＣＣＨ開閉速度限度及びタイミングは，サービス要求条件及び恐らくある種の活性度パターン検出を用いてＲＮＣが制御することができる。本発明の実施例によれば，ＲＮＣはＤＰＣＣＨ送信の最小速度及び最大速度（又は均等に最小開閉期間及び最大開閉期間）を規定する。すべてのセルはこれらにＵＬ送信時刻を知っており，受信器側で継続的にＤＴＸ（不連続送信）検出を行う必要がない。すなわちノードＢはいつＤＰＣＣＨ送信にギャップが起きるかを知っている。更にギャップ長（又は最大ギャップ長）の規則（ノードＢ及びＵＥによって知られている）の変更が，例えばＤＰＣＣＨギャップ長，又はＥ−ＤＣＨ及びＤＬ／ＵＬ不活性の場合，かつＲＮＣが規定した最小ＤＰＣＣＨ送信速度にまだ達していないとき，４つのギャップ（又は予め選択されたギャップ数）ごとに開閉期間を２倍にする。更に別の規則は，例えばＲＮＣが設定したＤＰＣＣＨ送信ギャップ長の最小及び／又は最大限度内で，Ｅ−ＤＣＨ送信における予め選択した数の送信ギャップを２倍にすること，ＤＰＣＣＨギャップ長又は開閉期間をＥ−ＤＣＨ送信における予め選択した期間（例えば，予め選択した時間）の後２倍にすること，ＤＰＣＣＨギャップ長又は開閉期間をＥ−ＤＣＨ送信における予め選択した数の送信ギャップの後，予め選択した送信ギャップ数だけ増加させること，又はＤＰＣＣＨギャップ長又は開閉期間を，予め選択した期間（例えば予め選択した時間）のＥ−ＤＣＨ不活性後に，予め選択したスロット数だけ増加させること，である。
【００６３】
本発明の更なる実施例によれば，ＤＰＣＣＨ送信のＵＬ ＤＰＣＣＨ開閉パターンを常に「ｏｎ」に規定し，かつタイミングはＥ−ＤＣＨ及びＨＳ−ＤＰＣＣＨ送信と独立であってもよいし，又はＤＰＣＣＨ開閉パターンは各Ｅ−ＤＣＨ ＴＴＩ送信後に再開始してもよい。したがってこの場合は，速度だけでなくＤＰＣＣＨ開閉送信パターンのタイミング（開始時刻）もＥ−ＤＣＨ送信に依存する。一実施例によれば，可能性のあるエラー（例えばＥ−ＤＰＣＣＨ又はＥ−ＤＰＤＣＨ送信がノードＢに検出されない）のために，Ｅ−ＤＣＨ及びＨＳ−ＤＰＣＣＨ送信の際に開閉が許可されているが適用されていないとき，ＤＰＣＣＨ送信の開閉パターンは常に「ｏｎ」であってもよい（すなわちＥ−ＤＣＨ及びＨＳ−ＤＰＣＣＨ送信の際に，ＤＰＣＣＨ開閉パターンが「ｏｎ」であってもＤＰＣＣＨ送信が常に連続である）。更に不定期セルにとっては，いつ定期Ｅ−ＤＣＨ送信があるか分からないので，所定の開閉パターンは有利である。ＤＰＣＣＨ開閉パターン及びギャップ長増加規則は，Ｅ−ＤＰＣＣＨ ＤＴＸ検出エラーからの回復が可能であるように設計するのが望ましい。
【００６４】
本発明の実施例によれば，ギャップ間のＤＰＣＣＨ送信期間は，例えば，１，３，５，１５スロットであってよい。またこれは，例えば更なる所定の基準を用いて構成可能なパラメータであってもよい（例えばＲＮＣ又はノードＢが判断する）。例えば不連続制御信号期間は，不連続データ信号の各予め選択された期間送信が不活性であった後，予め選択した値だけ増加させてもよい。ここで期間は予め選択された最大値を超えることはできない。更にＤＰＣＣＨ送信は擬似ランダムパターンに従ってもよく，例えばＤＰＣＣＨ送信中の５スロット（又は所定のスロット数）が５つの連続するスロットではなく，更なる所定の数の連続スロット（例えば１５スロット）のうちランダムに選択した５スロットである。
【００６５】
ＵＬ制御チャネル，例えばＤＰＣＣＨ用の，上述の本発明のすべての実施例は，例えばチャネル推定及び電力制御に用いられるＵＬの任意のＬ１制御チャネル（例えばパイロット及び／又は電力制御情報を搬送する）に適用してもよいことに注意されたい。また不連続制御信号のスケジュールは，本発明の実施例によってユーザ装置又はネットワーク要素によって行うことができることにも注意されたい。
【００６６】
図２は，本発明の実施例による，ＵＬ ＤＰＣＣＨの動的開閉の規定を示す多くの中の一例のブロック図である。
【００６７】
図２の例において，ユーザ装置１０はＵＬスケジュール及び信号発生モジュール１２，並びに送信器／受信器／処理モジュール１４を備える。本発明の一実施例によれば，モジュール１２はＵＬ ＤＰＣＣＨを規定するためにユーザ装置１０が実行するステップを調整し，生成することができる。ユーザ装置１０は，無線デバイス，可搬型デバイス，移動体通信デバイス，携帯電話機，等であってよい。図２に示す例において，ネットワーク要素１６（例えばノードＢ又はＲＮＣ）は，送信器ブロック１８と，ＵＬ（ＤＰＣＣＨ）計画モジュール２０と，受信器ブロック２２と，を備える。本発明の実施例によれば，ＤＰＣＣＨ計画モジュール２０はユーザ装置１０に命令を供給し（信号３４と，３４ａと，３６とを参照されたい），この命令は次を含む（しかしそれに限定されない）。すなわち，ＵＬ ＤＰＣＣＨ送信のギャップ長に関する最小及び最大限度と，ＵＬ ＤＰＣＣＨ送信及び開閉のタイミングと，ＵＬ ＤＰＣＣＨ送信の期間と，更にＵＬ ＤＰＣＣＨ送信を必要とする不連続データ信号内の最大送信ギャップと，連続ＵＬ ＤＰＣＣＨ送信を必要とする不連続データ信号内の最小送信ギャップと，不連続ＵＬ ＤＰＣＣＨ送信内のギャップ長が，Ｅ−ＤＣＨ１上の不連続データ信号内のギャップに依存するアルゴリズムと，などである。
【００６８】
本発明の実施例によれば，モジュール１２は，ソフトウェアブロック，ハードウェアブロック又はそれらの組合せとして実現できる（モジュール２０にも同様に適用可能）。更にブロック１２は，個別ブロックとして実現してもよいし，ユーザ装置１０の任意のほかの標準ブロックと結合してもよいし，機能性に応じていくつかのブロックに分離してもよい。送信器／受信器／処理ブロック１４は，多くの方法で実現することができ，通常送信器，受信器，ＣＰＵ（中央処理ユニット），等を含む。モジュール１４は，以降詳細に説明するとおりネットワーク要素１６によってモジュール１２の実効的な通信を提供する。ユーザ装置１０のすべて又は選択したモジュールは集積回路を用いて実現でき，ネットワーク要素１６のすべて又は選択したブロックも集積回路を用いて実現できる。
【００６９】
モジュール１２は，本発明の実施例によればデータ／報告／制御信号３０を供給し，それらは次にネットワーク要素１６の受信器ブロック２２へ転送される（信号３２ａ，３２ｂ及び３２ｃ）。特にモジュール１２は，不連続データ信号（例えばＥ−ＤＣＨ信号３２ａ）と，ＤＬチャネルに関するＣＱＩ報告情報を含む不連続報告信号（例えばＨＳ−ＤＰＣＣＨ信号３２ｂ）と，を供給する。モジュール１２はまた，ネットワーク要素１６が供給する命令（信号３６を使用）及び不連続データ信号（例えばＥ−ＤＣＨ上で送信される）内の送信ギャップに依存し，所定の基準を用いて開閉されるＵＬ ＤＰＣＣＨのＤＰＣＣＨ信号３２ｃをスケジュールする。
【００７０】
あるいは本発明の更なる実施例によれば，上述の開閉ＤＰＣＣＨ信号３２ｃのスケジュールは，ネットワーク要素１６によって完全に，又は部分的に実行され，それによって信号３４と，３４ａと，３６とがスケジュール命令も含み，図２に示すようにネットワーク要素１６によってユーザ装置１０に転送される。
【００７１】
ネットワーク要素１６は，本発明の種々の実施例を理解するために，ネットワーク要素１６はノードＢ及びＲＮＣ双方に帰する特徴を備えることができるように広く解釈してもよい。特にモジュール２０は，ＲＮＣ又はノードＢに配置することができ（したがってＲＮＣからの信号通知は，ノードＢによってユーザ装置に転送される），ブロック２２はノードＢ内に配置される。
【００７２】
図３は，本発明の実施例による，ＤＰＣＣＨ開閉パターンを示す図の多くの中の一例を示す図である。この図における粒度は２ｍｓ（ＷＣＤＭＡの３スロットと同じ）であり，すなわちこの例においては，Ｅ−ＤＣＨ及び／又はＨＳ−ＤＰＣＣＨ送信と共に送信されないときでさえＤＰＣＣＨ送信期間は２ｍｓである。上述のとおり，ＤＰＣＣＨだけの送信期間もまた，２ｍｓ以外（例えば１又は２スロットなど）であってよい。
【００７３】
パケットシーケンス４２と，４４と，４６とは，ＵＬが活性な（Ｅ−ＤＣＨ送信が行われている）ときの，ＤＰＣＣＨ（送信）開閉期間１０ｍｓの動的ＤＰＣＣＨ開閉パターンに対応する。ここでＤＰＣＣＨ開閉期間は，ＵＬデータ送信が不活性な（Ｅ−ＤＣＨ送信が行われていない）とき，２ギャップごとに長さが２倍になる。パケットシーケンス４４はＵＬデータ送信活性度が低く，したがってパケットシーケンス４２においてＤＰＣＣＨ信号を表している「スロット」４２ａは，（上述の規則によって）パケットシーケンス４４にはない。更にパケットシーケンス４６は，パケットシーケンス４４よりも更にＵＬデータ送信活性度が低く，したがってスロット４６ａ，４６ｂ，４６ｃ及び４６ｄにおけるＤＰＣＣＨ信号は，上述の「２倍」規則によって時間上空白である。
【００７４】
パケットシーケンス４８は，ＵＬが活性なときの，ＤＰＣＣＨ開閉期間１０ｍｓの動的ＤＰＣＣＨ開閉パターンに対応する。ここでＤＰＣＣＨ開閉期間は，ＵＬが不活性なとき２ギャップごとに２倍になり，４０ｍｓのＣＱＩ報告期間を有する。ＣＱＩ報告情報は，これもまた同時にＤＰＣＣＨ上で送信されるＨＳ−ＤＰＣＣＨ上で送信され，したがってＤＰＣＣＨ信号は，スロット４８ａ，４８ｃ及び４８ｄにおいてＤＰＣＣＨ信号を送信する必要がある（パケットシーケンス４６と比較されたい）。
【００７５】
本発明の実施例によればネットワーク要素１６は，ユーザ装置１０がＤＰＣＣＨ開閉期間を決定する規則を知る（又は通知される）ことができ，これによってネットワーク要素１６が連続的にＤＴＸ検出を行う必要を無くすことができる。
【００７６】
図４は，本発明の実施例によるＵＬ ＤＰＣＣＨの動的開閉の規定を示すフローチャートの例である。
【００７７】
図４のフローチャートは，単に多くのうち１つの可能なシナリオを示すものである。図４に示すステップの順序は絶対必要なものではなく，したがって一般に種々のステップを順不同に実行してもよい。本発明の実施例による方法においては，第１ステップ５０においてネットワーク要素１６は，不連続制御信号（例えばＤＰＣＣＨ信号）送信に関するＤＰＣＣＨ命令（例えばＵＬ ＤＰＣＣＨ上の送信ギャップがＥ−ＤＣＨ上のデータ送信ギャップに依存する規則，ＵＬ ＤＰＣＣＨ送信のギャップ長の最小及び最大限度，送信タイミング，送信期間，等）を供給する。このステップは，通常高位階層信号通知，例えばＲＲＣ信号通知によって実現される。次のステップ５４において，ユーザ装置１０（又は代わりにネットワーク要素１６）が，ネットワーク要素１６が供給するＤＰＣＣＨ命令（信号３６）を用い，不連続データ送信（Ｅ−ＤＣＨ）の送信活性度と調整し，所定の基準を用いて不連続制御信号をスケジュールする。
【００７８】
最後に次のステップ５６において，ユーザ装置１０はネットワーク要素３２に不連続制御信号（例えばＤＰＣＣＨ信号３２ｃ）を送信する。
【００７９】
上述のとおり本発明は，方法と，その方法のステップを実行する機能を提供する種々のモジュールからなる対応装置と，の双方を提供する。上記モジュールはハードウェアとして実現してもよいし，計算機プロセッサが事項するソフトウェア又はファームウェアとして実現してもよい。特にファームウェア又はソフトウェアの場合，計算機プロセッサが実行する計算機プログラムコード（すなわちソフトウェア又はファームウェア）を組み込んだ計算機可読記憶構造を含む計算機プログラム製品として本発明を供給してもよい。
【００８０】
上述の構成は，本発明の原理の応用を示すものに過ぎないことを理解されたい。当業者であれば，本発明の適用範囲から逸脱することなく多くの修正物及び代替構成を考案できるであろう。したがって本願請求項は，そのような修正物及び構成物を含むものとする。
【図面の簡単な説明】
【００８１】
【図１】ギャップ長と，開閉期間と，開閉速度と，の規定を示す図である。
【図２】本発明の実施例によるＵＬ（ＵＬ）個別物理制御チャネル（ＤＰＣＣＨ）の動的開閉の規定を示すブロック図である。
【図３】本発明の実施例によるＤＰＣＣＨ開閉パターンの例を示す図である。
【図４】本発明の実施例によるＵＬ ＤＰＣＣＨの動的開閉の規定を示すフローチャートである。
【図１】
2009504053.tif 000003
【図２】
2009504053.tif 000004
【図３】
2009504053.tif 000005
【図４】
2009504053.tif 000006
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
所定の基準を用い，命令と，データチャネル上の不連続データ信号の送信ギャップ長とに応じてアップリンク制御チャネルの不連続制御信号をスケジュールするステップと，
ユーザ装置を用いて前記不連続制御信号をネットワーク要素に送信するステップと，
を有する方法。
【請求項２】
前記命令は，
所定の規則と，
前記ネットワーク要素が提供する命令と，
の少なくとも１つとする請求項１に記載の方法。
【請求項３】
前記命令は，
制御チャネル送信のギャップ期間すなわちギャップ長の最大限度と，
制御チャネル送信のギャップ期間すなわちギャップ長の最小限度と，
制御チャネル送信のタイミングと，
制御チャネル送信の期間と，
更にアップリンク制御チャネル送信を必要とする前記データチャネル上の前記不連続データ信号内の最大送信ギャップと，
連続制御チャネル送信を必要とする前記不連続データ信号内の最小送信ギャップと，
前記アップリンク制御チャネルの前記不連続制御信号が，前記データチャネル上の前記不連続データ信号に依存するアルゴリズムと，
の少なくとも１つを含む請求項１に記載の方法。
【請求項４】
前記不連続制御チャネルはアップリンク個別物理制御チャネルとし，前記データチャネルはアップリンク強化個別チャネルとする請求項１に記載の方法。
【請求項５】
前記ネットワーク要素はノードＢとし，前記ネットワーク要素及び前記ユーザ装置は無線通信用に構成する請求項１に記載の方法。
【請求項６】
前記スケジュールするステップの際に，前記不連続制御信号の開閉は，ダウンリンクチャネルに関する情報を報告し，前記ユーザ装置によって前記ネットワーク要素へ送信されるチャネル品質指示子を含む更なる報告信号のタイミングに更に依存する請求項１に記載の方法。
【請求項７】
前記スケジュールするステップの際に，前記不連続制御信号の前記開閉期間を，前記不連続データ信号の予め選択した送信不活性期間後に予め選択した値によって変更し，前記不連続データ信号を再度送信した後に前記開閉期間をその初期の所定値に変更する請求項１に記載の方法。
【請求項８】
前記スケジュールするステップの際に，前記不連続制御信号の前記開閉期間を，前記不連続データ信号の予め選択した各送信不活性期間後に予め選択した値によって増加させ，前記開閉期間は予め選択した最大値を超えない請求項１に記載の方法。
【請求項９】
前記スケジュールするステップの際に，前記不連続制御信号の前記開閉期間を，前記不連続データ信号の予め選択した送信不活性期間後に予め選択した最大値に増加させる請求項１に記載の方法。
【請求項１０】
前記スケジュールするステップの際に，前記不連続制御信号の期間を更なる所定の基準によって調整する請求項１に記載の方法。
【請求項１１】
前記不連続制御信号の期間を，前記不連続データ信号の予め選択した各送信不活性期間後に予め選択した値によって増加させ，前記期間は予め選択した最大値を超えない請求項１に記載の方法。
【請求項１２】
前記スケジュールするステップの際に，前記不連続制御信号の前記個別データ信号に対する開閉タイミングは所定のアルゴリズムによって決定され，前記不連続データ信号に依存する請求項１に記載の方法。
【請求項１３】
前記不連続制御信号の開閉期間は，前記不連続制御信号のランダム送信パターンにおける平均又は最大の許容ギャップ長とする請求項１に記載の方法。
【請求項１４】
前記スケジュールするステップは，前記ネットワーク要素又は前記ユーザ装置が行う請求項１に記載の方法。
【請求項１５】
計算機プログラム製品であって，計算機プログラムコードを組み込んだ計算機可読記憶構造を備え，前記計算機プログラムコードは計算機プロセッサが実行するものであって請求項１に記載の方法を実行する命令を含む計算機プログラム製品。
【請求項１６】
アップリンク制御チャネルの不連続制御信号を発生させるように構成したアップリンクスケジュール及び信号発生モジュールと，
前記不連続制御信号をネットワーク要素に送信するように構成した受信送信処理モジュールと，
を備えたユーザ装置であって，
前記不連続制御信号のスケジュールは，所定の基準を用い，命令と，データチャネル上の不連続データ信号内の送信ギャップ長とに依存して行われるユーザ装置。
【請求項１７】
前記アップリンクスケジュール及び信号発生モジュールは，前記スケジュールを行うように構成する請求項１６に記載のユーザ装置。
【請求項１８】
前記スケジュールは，前記命令を用いて前記ネットワーク要素が行う請求項１６に記載のユーザ装置。
【請求項１９】
前記命令は，
所定の規則と，
前記ネットワーク要素が提供する命令と，
の少なくとも１つとする請求項１６に記載のユーザ装置。
【請求項２０】
前記命令は前記ネットワーク要素が提供し，
制御チャネル送信のギャップ期間すなわちギャップ長の最大限度と，
制御チャネル送信のギャップ期間すなわちギャップ長の最小限度と，
制御チャネル送信のタイミングと，
制御チャネル送信の期間と，
更にアップリンク制御チャネル送信を必要とする前記データチャネル上の前記不連続データ信号内の最大送信ギャップと，
連続制御チャネル送信を必要とする前記不連続データ信号内の最小送信ギャップと，
前記アップリンク制御チャネルの前記不連続制御信号が，前記データチャネル上の前記不連続データ信号に依存するアルゴリズムと，
の少なくとも１つを含む請求項１６に記載のユーザ装置。
【請求項２１】
前記不連続制御チャネルはアップリンク個別物理制御チャネルとし，前記データチャネルはアップリンク強化個別チャネルとする請求項１６に記載のユーザ装置。
【請求項２２】
前記スケジュールの際に，前記不連続制御信号の開閉は，ダウンリンクチャネルに関する情報を報告し，前記ユーザ装置によって前記ネットワーク要素へ送信されるチャネル品質指示子を含む更なる報告信号のタイミングに更に依存する請求項１６に記載のユーザ装置。
【請求項２３】
前記スケジュールの際に，前記不連続制御信号の前記開閉期間を，前記不連続データ信号の予め選択した送信不活性期間後に予め選択した値によって変更し，前記不連続データ信号を再度送信した後に前記開閉期間をその初期の所定値に変更する請求項１６に記載のユーザ装置。
【請求項２４】
前記スケジュールの際に，前記不連続制御信号の前記開閉期間を，前記不連続データ信号の予め選択した各送信不活性期間後に予め選択した値によって増加させ，前記開閉期間は予め選択した最大値を超えない請求項１６に記載のユーザ装置。
【請求項２５】
前記スケジュールの際に，前記不連続制御信号の期間を更なる所定の基準によって調整する請求項１６に記載のユーザ装置。
【請求項２６】
前記スケジュールの際に，前記不連続制御信号の前記個別データ信号に対する開閉タイミングは所定のアルゴリズムによって決定され，前記不連続データ信号に依存する請求項１６に記載のユーザ装置。
【請求項２７】
前記不連続制御信号の開閉期間は，前記不連続制御信号のランダム送信パターンにおける平均又は最大の許容ギャップ長とする請求項１６に記載のユーザ装置。
【請求項２８】
前記ユーザ装置は無線通信用に構成する請求項１６に記載のユーザ装置。
【請求項２９】
集積回路が前記アップリンクスケジュール及び信号発生モジュール並びに前記受信送信処理モジュールを含む請求項１６に記載のユーザ装置。
【請求項３０】
アップリンク制御チャネルの不連続制御信号を発生させる信号発生手段と，
前記不連続制御信号をネットワーク要素に送信する受信及び送信手段と，
を備えたユーザ装置であって，
前記不連続制御信号のスケジュールは，所定の基準を用い，命令と，データチャネル上の不連続データ信号内の送信ギャップ長とに依存して行われるユーザ装置。
【請求項３１】
前記信号発生手段は，前記スケジュールを行うように構成する請求項３０に記載のユーザ装置。
【請求項３２】
アップリンク制御チャネルの不連続制御信号をスケジュールする命令をユーザ装置へ送信するように構成した送信ブロックと，
不連続データ信号及び前記不連続制御信号を受信するように構成した受信ブロックと，
を備えるネットワーク要素であって，
前記不連続制御信号のスケジュールは，所定の基準を用い，前記命令と，データチャネル上の前記不連続データ信号内の送信ギャップ長とに依存して行われるネットワーク要素。
【請求項３３】
前記命令は，
制御チャネル送信のギャップ期間すなわちギャップ長の最大限度と，
制御チャネル送信のギャップ期間すなわちギャップ長の最小限度と，
制御チャネル送信のタイミングと，
制御チャネル送信の期間と，
更にアップリンク制御チャネル送信を必要とする前記データチャネル上の前記不連続データ信号内の最大送信ギャップと，
連続制御チャネル送信を必要とする前記不連続データ信号内の最小送信ギャップと，
前記アップリンク制御チャネルの前記不連続制御信号が，前記データチャネル上の前記不連続データ信号に依存するアルゴリズムと，
の少なくとも１つを含む請求項３２に記載のネットワーク要素。
【請求項３４】
アップリンク制御チャネルの不連続制御信号を送信するように構成したユーザ装置と，
前記不連続制御信号を受信するように構成したネットワーク要素と，
を備える通信システムであって，
前記不連続制御信号のスケジュールは，所定の基準を用い，命令と，データチャネル上の不連続データ信号内の送信ギャップ長とに依存して行われる通信システム。
【請求項３５】
前記命令は，
所定の規則と，
前記ネットワーク要素が提供する命令と，
の少なくとも１つとする請求項３４に記載のシステム。
【請求項３６】
前記命令は前記ネットワーク要素が提供し，
制御チャネル送信のギャップ期間すなわちギャップ長の最大限度と，
制御チャネル送信のギャップ期間すなわちギャップ長の最小限度と，
制御チャネル送信のタイミングと，
制御チャネル送信の期間と，
更にアップリンク制御チャネル送信を必要とする前記データチャネル上の前記不連続データ信号内の最大送信ギャップと，
連続制御チャネル送信を必要とする前記不連続データ信号内の最小送信ギャップと，
前記アップリンク制御チャネルの前記不連続制御信号が，前記データチャネル上の前記不連続データ信号に依存するアルゴリズムと，
の少なくとも１つを含む請求項３４に記載のシステム。
【請求項３７】
前記スケジュールは，前記ネットワーク要素又は前記ユーザ装置が行う請求項３４に記載のシステム。
【国際調査報告】
2009504053.tif 000007
2009504053.tif 000008
2009504053.tif 000009
2009504053.tif 000010
2009504053.tif 000011